(57)【要約】【課題】コンパクトで多数の配線を接続することが可能にする。【解決手段】プラグ１０１は、第１配線板１０４と、第２配線板１０５と、第１配線板１０４と第２配線板１０５との間に配置され、それぞれの第１グランド導体及び第２グランド導体１１８と接触する第１接点を有する板状のグランドプレート１０６と、第１配線板１０４、第２配線板１０５及びグランドプレート１０６を保持する第１インシュレータ１０７とを備える。第１インシュレータ１０７は、第１配線板１０４、第２配線板１０５及びグランドプレート１０６の全体の先端部、両側端部及び外方を向く２つの主面部１０４＿Ｕ，１０５＿Ｄの少なくとも一部を覆うとともに、グランドプレート１０６を押圧した状態で保持している。グランドプレート１０６の少なくとも一方の側端部の一部が、第１インシュレータ１０７の外部に露出している。【選択図】図１
2020072035.tif 000002
【特許請求の範囲】
【請求項１】
第１信号配線と第１グランド導体とを有する第１フレキシブル配線板と、
第２信号配線と第２グランド導体とを有する第２フレキシブル配線板と、
前記第１フレキシブル配線板と前記第２フレキシブル配線板との間に配置され、前記第１グランド導体及び前記第２グランド導体のそれぞれと接触する第１接点を有する板状のグランドプレートと、
前記第１フレキシブル配線板、前記第２フレキシブル配線板及び前記グランドプレートを保持するための収容空間を形成する第１インシュレータとを備え、
前記第１インシュレータは、前記第１フレキシブル配線板、前記第２フレキシブル配線板及び前記グランドプレートの全体の先端部、両側端部及び外方を向く２つの主面部という５つの部位それぞれの少なくとも一部を覆うようにして前記収容空間を形成するとともに、前記グランドプレートを押圧した状態で保持しており、
前記第１信号配線と前記第２信号配線との各々の一部は、前記第１インシュレータの外部に露出しており、
前記グランドプレートの少なくとも一方の側端部の一部が、前記第１インシュレータの外部に露出している
ことを特徴とするコネクタ。
【請求項２】
前記第１インシュレータは、
前記グランドプレートを押圧した状態で保持する本体部と、
前記本体部よりも幅が狭いことによって、前記グランドプレートの前記少なくとも一方の側端部の一部を外部に露出させる保護部とを有する
ことを特徴とする請求項１に記載のコネクタ。
【請求項３】
前記保護部は、
内部にて前記グランドプレートの先端部を含む被保護部が嵌め込まれるプレート保持溝と、
前記プレート保持溝と前記第１インシュレータの外部との少なくとも一部を遮断する先端保護部を有する
ことを特徴とする請求項１に記載のコネクタ。
【請求項４】
前記先端保護部には、前記プレート保持溝と前記第１インシュレータの外部とを接続する貫通孔が設けられている
ことを特徴とする請求項３に記載のコネクタ。
【請求項５】
前記グランドプレートは、弾性を有することによって、前記第１接点に、当該第１接点が接触する前記第１グランド導体又は前記第２グランド導体へ向かう力を加える第１弾性部をさらに有する
ことを特徴とする請求項１から４のいずれか１項に記載のコネクタ。
【請求項６】
前記グランドプレートは、平板状の主板部をさらに有し、
前記第１弾性部は、前記主板部に接続して屈曲又は湾曲した基端部と、当該基端部から延びて前記第１接点に接続する板状部とを有し、
前記第１接点は、前記基端部よりも、前記グランドプレートの前記先端部の近くに位置している
ことを特徴とする請求項５に記載のコネクタ。
【請求項７】
前記第１フレキシブル配線板と、前記第２フレキシブル配線板と、前記グランドプレートと、前記第１インシュレータとのそれぞれは、前記第１フレキシブル配線板、前記第２フレキシブル配線板及び前記グランドプレートが前記第１インシュレータに保持された場合に、一方向に並ぶ空間を形成する第１係止部、第２係止部、第３係止部、抜け止め嵌合部を有し、
前記コネクタは、前記抜け止め嵌合部に固定されて、前記一方向に並んだ第１係止部、第２係止部、第３係止部を貫通する抜け止め部材をさらに備える
ことを特徴とする請求項１から６のいずれか１項に記載のコネクタ。
【請求項８】
前記第１フレキシブル配線板は、前記第１信号配線を介して前記第１グランド導体とは異なる方向に配置された第３グランド導体をさらに有し、
前記第２フレキシブル配線板は、前記第２信号配線を介して前記第２グランド導体とは異なる方向に配置された第４グランド導体をさらに有する
ことを特徴とする請求項１から７のいずれか１項に記載のコネクタ。
【請求項９】
請求項１から８のいずれか１項に記載のコネクタと、
前記コネクタと嵌まり合う相手コネクタとを備え、
前記相手コネクタは、
前記第１信号配線と接触する第１コンタクトと、
前記第２信号配線と接触する第２コンタクトと、
前記第１インシュレータの外部に露出した前記グランドプレートの前記少なくとも一方の側端部の一部に接触するグランド金具と、
前記第１コンタクトと前記第２コンタクトとを保持する第２インシュレータとを有する
ことを特徴とするコネクタ組立体。
【請求項１０】
前記グランド金具は、
前記グランドプレートの前記少なくとも一方の側端部の一部に接触する第２接点と、
弾性を有することによって、前記グランドプレートの前記少なくとも一方の側端部の一部へ向かう力を前記第２接点に加える第２弾性部とを有する
ことを特徴とする請求項９に記載のコネクタ組立体。
【請求項１１】
前記相手コネクタは、
前記第２インシュレータの側面を含む周囲に配置された金属シェルをさらに備え、
前記金属シェルは、前記第２インシュレータの側面に対応付けて配置された平板状のシェル側面部を有し、
前記グランド金具は、板バネ接点であり、
前記シェル側面部は、前記グランド金具の一端が固定されるシェル開口部を有する
ことを特徴とする請求項９又は１０に記載のコネクタ組立体。
【請求項１２】
前記グランドプレートは、両側端部の一部が前記第１インシュレータの外部に露出しており、
前記グランド金具は、前記グランドプレートの前記露出した両側端部の一部のそれぞれの側方に対をなして設けられており、
前記グランド金具の対は、前記グランドプレートの前記露出した両側端部の一部を側方から挟んでそれぞれに接触する
ことを特徴とする請求項９から１１のいずれか１項に記載のコネクタ組立体。
【発明の詳細な説明】
【技術分野】
【０００１】
本発明は、コネクタ及びコネクタ組立体に関する。
【背景技術】
【０００２】
特許文献１には、図２１に示すように、レセプタクル２０とプラグ（コネクタ）３０とからなるコネクタセット（以下、「コネクタ組立体」とも称する。）が開示されている。特許文献１に記載のプラグ３０には、ＦＦＣ（Ｆｌｅｘｉｂｌｅ  Ｆｌａｔ  Ｃａｂｌｅ）又はＦＰＣ（Ｆｌｅｘｉｂｌｅ  Ｐｒｉｎｔｅｄ  Ｃｉｒｃｕｉｔ）が、接続部材１０として使用される。
【０００３】
特許文献１によれば、接続部材１０は、図２２に示すように、第１の方向（嵌合方向）Ａ１にのびて接続相手に接続する平板状の第１の部分１１と、第１の方向Ａ１に直交する第２の方向Ａ２にのびた平板状の第２の部分１２とを含む。そして、第１の部分１１は、その外面に、接続部材１０の多数の信号用導体（以下、「信号配線」とも称する。）１５が外部に露出する。また、第２の部分１２は、その内側面に、グランド用導体１８を備える。
【０００４】
特許文献１に記載のプラグ３０は、上述の接続部材１０と、互いに協働して接続部材１０を両面側から挟み込んだベース３１と及びカバー３２とを含む。ベース３１は、接続部材１０が配置される一面の反対面に、導電性のベースグランド３７を備える。また、ベースグランド３７は、ベース３１を貫通したバネ５４を備え、このバネ５４によって接続部材１０のグランド用導体１８に接触している。
【０００５】
特許文献１に記載のレセプタクル２０は、図２１に示すように、レセプタクルハウジング２２に組み付けた導電性の多数の信号コンタクト２３と、導電性の１つ又は複数のグランドコンタクト２４とを含む。レセプタクル２０にプラグ３０が接続されたとき、信号配線１５により構成された接点部が信号コンタクト２３の信号接点２６に、ベースグランド３７がレセプタクル２０のグランド接続２７に、それぞれ接触する。
【先行技術文献】
【特許文献】
【０００６】
【特許文献１】特開２０１３−５１１１１号公報
【発明の概要】
【発明が解決しようとする課題】
【０００７】
近時、より多くの情報をより高速で伝送するために、より多数の信号配線を接続できるコネクタ３０及びコネクタ組立体が期待されている。しかし、特許文献１に記載のコネクタ３０を複数使用すると、コネクタ３０或いはコネクタ組立体が搭載される製品において、コネクタ３０或いはコネクタ組立体が占める体積が大きくなり、製品が大型化してしまう可能性や設計上の制約が生じる可能性がある。
【０００８】
また、コネクタ３０において、より多くの信号配線をその配列方向に増やすことや、複数組の接続部材１０及びベースグランド３７を上下に並べることなども考えられる。この場合、コネクタ３０の数は１つであっても、コネクタ３０自体が、増加した信号配線の数や接続部材１０及びベースグランド３７の組みの数に従って大きくなる。そのため、コネクタ３０或いはコネクタ組立体が搭載される製品において、コネクタ３０或いはコネクタ組立体が占める体積が大きくなる。その結果、複数のコネクタ３０を使用する場合と同様に、製品が大型化してしまう可能性や設計上の制約が生じる可能性がある。
【０００９】
本発明は、このような事情に鑑みてなされたものであって、コンパクトで多数の配線を接続することが可能なコネクタ及びコネクタ組立体を提供することを目的とする。
【課題を解決するための手段】
【００１０】
上記目的を達成するため、本発明の第１の観点に係るコネクタは、
第１信号配線と第１グランド導体とを有する第１フレキシブル配線板と、
第２信号配線と第２グランド導体とを有する第２フレキシブル配線板と、
前記第１フレキシブル配線板と前記第２フレキシブル配線板との間に配置され、前記第１グランド導体及び前記第２グランド導体のそれぞれと接触する第１接点を有する板状のグランドプレートと、
前記第１フレキシブル配線板、前記第２フレキシブル配線板及び前記グランドプレートを保持するための収容空間を形成する第１インシュレータとを備え、
前記第１インシュレータは、前記第１フレキシブル配線板、前記第２フレキシブル配線板及び前記グランドプレートの全体の先端部、両側端部及び外方を向く２つの主面部という５つの部位それぞれの少なくとも一部を覆うようにして前記収容空間を形成するとともに、前記グランドプレートを押圧した状態で保持しており、
前記第１信号配線と前記第２信号配線との各々の一部は、前記第１インシュレータの外部に露出しており、
前記グランドプレートの少なくとも一方の側端部の一部が、前記第１インシュレータの外部に露出している。
ことを特徴とするコネクタ。
【００１１】
前記第１インシュレータは、
前記グランドプレートを押圧した状態で保持する本体部と、
前記本体部よりも幅が狭いことによって、前記グランドプレートの前記少なくとも一方の側端部の一部を外部に露出させる保護部とを有してもよい。
【００１２】
前記保護部は、
内部にて前記グランドプレートの先端部を含む被保護部が嵌め込まれるプレート保持溝と、
前記プレート保持溝と前記第１インシュレータの外部との少なくとも一部を遮断する先端保護部を有してもよい。
【００１３】
前記グランドプレートは、弾性を有することによって、前記第１接点に、当該第１接点が接触する前記第１グランド導体又は前記第２グランド導体へ向かう力を加える第１弾性部をさらに有してもよい。
【００１４】
前記先端保護部には、前記プレート保持溝と前記第１インシュレータの外部とを接続する貫通孔が設けられていてもよい。
【００１５】
前記グランドプレートは、平板状の主板部をさらに有し、
前記第１弾性部は、前記主板部に接続して屈曲又は湾曲した基端部と、当該基端部から延びて前記第１接点に接続する板状部とを有し、
前記第１接点は、前記基端部よりも、前記グランドプレートの前記先端部の近くに位置していてもよい。
【００１６】
前記第１フレキシブル配線板と、前記第２フレキシブル配線板と、前記グランドプレートと、前記第１インシュレータとのそれぞれは、前記第１フレキシブル配線板、前記第２フレキシブル配線板及び前記グランドプレートが前記第１インシュレータに保持された場合に、一方向に並ぶ空間を形成する第１係止部、第２係止部、第３係止部、抜け止め嵌合部を有し、
前記コネクタは、前記抜け止め嵌合部に固定されて、前記一方向に並んだ第１係止部、第２係止部、第３係止部を貫通する抜け止め部材をさらに備えてもよい。
【００１７】
前記第１フレキシブル配線板は、前記第１信号配線を介して前記第１グランド導体とは異なる方向に配置された第３グランド導体をさらに有し、
前記第２フレキシブル配線板は、前記第２信号配線を介して前記第２グランド導体とは異なる方向に配置された第４グランド導体をさらに有してもよい。
【００１８】
上記目的を達成するため、本発明の第２の観点に係るコネクタ組立体は、
上記のコネクタと、
前記コネクタと嵌まり合う相手コネクタとを備え、
前記相手コネクタは、
前記第１信号配線と接触する第１コンタクトと、
前記第２信号配線と接触する第２コンタクトと、
前記第１インシュレータの外部に露出した前記グランドプレートの前記少なくとも一方の側端部の一部に接触するグランド金具と、
前記第１コンタクトと前記第２コンタクトとを保持する第２インシュレータとを有する。
【００１９】
前記グランド金具は、
前記グランドプレートの前記少なくとも一方の側端部の一部に接触する第２接点と、
弾性を有することによって、前記グランドプレートの前記少なくとも一方の側端部の一部へ向かう力を前記第２接点に加える第２弾性部とを有してもよい。
【００２０】
前記相手コネクタは、
前記第２インシュレータの側面を含む周囲に配置された金属シェルをさらに備え、
前記金属シェルは、前記第２インシュレータの側面に対応付けて配置された平板状のシェル側面部を有し、
前記グランド金具は、バネ接点であり、
前記シェル側面部は、前記グランド金具の一端が固定されるシェル開口部を有してもよい。
【００２１】
前記グランドプレートは、両側端部の一部が前記第１インシュレータの外部に露出しており、
前記グランド金具は、前記グランドプレートの前記露出した両側端部の一部のそれぞれの側方に対をなして設けられており、
前記グランド金具の対は、前記グランドプレートの前記露出した両側端部の一部を側方から挟んでそれぞれに接触してもよい。
【発明の効果】
【００２２】
本発明によれば、コンパクトで多数の配線を接続することが可能になる。
【図面の簡単な説明】
【００２３】
【図１】本発明の一実施の形態に係るコネクタ組立体を構成するプラグとレセプタクルとを右斜め上前方から見た斜視図である。
【図２】一実施の形態に係るプラグを右斜め下後方から見た斜視図である。
【図３】一実施の形態に係るプラグの分解斜視図である。
【図４】一実施の形態に係るプラグの正面図である。
【図５】一実施の形態に係るプラグの平面図である。
【図６】一実施の形態に係るプラグの右側面図である。
【図７】一実施の形態に係るプラグの背面図である。
【図８】一実施の形態に係る第１インシュレータの正面図である。
【図９】一実施の形態に係る第１インシュレータ平面図である。
【図１０】一実施の形態に係る第１インシュレータ背面図である。
【図１１】図８のＸＩ−ＸＩ線における断面図である。
【図１２】図８のＸＩＩ−ＸＩＩ線における断面図である。
【図１３】一実施の形態に係るレセプタクルの正面図である。
【図１４】一実施の形態に係るプラグとレセプタクルとが互いに嵌め合わされた状態においてスライド溝部の上下方向の中央を含む断面を上方から見た図である。
【図１５】変形例２に係るグランドプレートの斜視図である。
【図１６】変形例３に係るプラグの斜視図である。
【図１７】変形例３に係るプラグの正面図である。
【図１８】図１７のＸＶＩＩＩ−ＸＶＩＩＩ線における断面図である。
【図１９】変形例４に係るプラグの平面図である。
【図２０】変形例９に係るグランドプレートの側方断面図である。
【図２１】関連技術に係るプラグとレセプタクルからなるコネクタセットの接続途中状態を示す拡大断面斜視図である。
【図２２】関連技術に係るプラグの断面図である。
【発明を実施するための形態】
【００２４】
以下、本発明の一実施の形態に係るコネクタ及びコネクタ組立体について、図面を参照しつつ説明する。全図を通じて同一の要素には同一の符号を付す。
【００２５】
本発明の一実施の形態に係るコネクタ組立体１００は、斜視図である図１に示すように、複数の信号配線を取り外し可能に他の配線に接続するための組立体であって、互いに嵌り合うプラグ１０１とレセプタクル１０２とを備える。同図に示すように、レセプタクル１０２は、例えば基板１０３などの対象物に半田付けなど適宜の方法で取り付けられる。
【００２６】
本実施の形態に係るプラグ１０１は、コネクタに相当する。本実施の形態に係るレセプタクル１０２は、相手コネクタに相当する。
【００２７】
本実施の形態では、プラグ１０１とレセプタクル１０２とが嵌り合った際に、プラグ１０１に対してレセプタクル１０２が位置する方向を前方、その反対を後方と規定している。また、レセプタクル１０２に対して基板１０３が取り付けられる方向を下方、この逆方向を上方と規定し、左右は、前方から見た方向で規定している。このような、前・後・上・下・左・右の用語は、本実施の形態の理解を容易にするために用いるのであって、本発明を限定する趣旨ではない。
【００２８】
（プラグ１０１の構成）
プラグ１０１は、複数の信号配線が取り付けられるコネクタであって、図２〜７に示すように、第１配線板１０４と、第２配線板１０５と、グランドプレート１０６と、第１インシュレータ１０７と、カバー１０８と、第１ロック機構部１０９とを有する。
【００２９】
ここで、図２は、図１とは異なる方向から見た場合のプラグ１０１の斜視図である。図３は、プラグ１０１の分解斜視図である。図４〜７は、それぞれ、プラグ１０１の正面図、平面図、右側面図、背面図である。なお、プラグ１０１の左側面図は、右側面図と同様に表される。
【００３０】
第１配線板１０４は、信号を伝送するための可撓性を有する板状の部材であって、第１フレキシブル配線板に相当する。第１配線板１０４は、典型的には、マイクロスプリットライン構造又はストリップライン構造を有するＦＦＣ（Ｆｌｅｘｉｂｌｅ  Ｆｌａｔ  Ｃａｂｌｅ）、ＦＰＣ（Ｆｌｅｘｉｂｌｅ  Ｐｒｉｎｔｅｄ  Ｃｉｒｃｕｉｔ）などである。
【００３１】
ここで、マイクロスプリットライン構造或いはストリップライン構造とは、基準電位に接続される導体箔などのグランド導体が誘電体板の一方の主面に設けられるとともに、信号を伝送するための信号配線が当該誘電体板の他方の主面又は内部に設けられた構造である。このような構造は、一般的に高周波伝送に好適に採用される。
【００３２】
詳細には、第１配線板１０４は、第１誘電体板１１０と、複数の第１信号配線１１１と、第１グランド導体１１２とを有する。
【００３３】
第１誘電体板１１０は、絶縁性と可撓性とを備えた薄い板状の部材であり、本実施の形態では前後方向に長い矩形の薄いフィルムである。第１誘電体板１１０の材料は、例えばポリイミドなどの樹脂である。第１誘電体板１１０の厚さ（上下方向の長さ）は、例えば、０．４ｍｍ（ミリメートル）程度である。
【００３４】
詳細には、第１誘電体板１１０は、第１被保持部１１３と、一対の第１係止部１１４＿Ｌ，１１４＿Ｒと、第１延設部１１５とを有する。
【００３５】
第１被保持部１１３は、第１誘電体板１１０の前端から予め定められた長さＬ１までの部分である。第１被保持部１１３は、前端部（先端部）から予め定められた長さまでの部分が第１インシュレータ１０７の内部に保持される（図３，１４参照）。
【００３６】
一対の第１係止部１１４＿Ｌ，１１４＿Ｒのそれぞれは、第１被保持部１１３の左端部と右端部とから内方（すなわち、左端部においては右方、右端部においては左方）へ向かう凹みを形成する部位である。本実施の形態では、一対の第１係止部１１４＿Ｌ，１１４＿Ｒの各々は、前端から予め定められた長さＬ２離れた位置に設けられており、奥行き（前後方向の長さ）が予め定められた長さＬＬの前後方向に細長い概ね矩形の凹みを形成する（図３，１４参照）。
【００３７】
これにより、一対の第１係止部１１４＿Ｌ，１１４＿Ｒの各々は、前端から長さＬ２の位置と、そこから長さＬＬ離れた位置とで、左右方向に延びる平行な辺部と当該辺部の内方の端部を接続する前後方向に延びる辺部とを形成する。
【００３８】
第１延設部１１５は、第１被保持部１１３の後端に接続した前後方向に長い概ね矩形の部分である。第１延設部１１５は、段差を介して第１被保持部１１３の後端に接続しており、そのため、第１延設部１１５の幅は、第１被保持部１１３よりも広くなっている。幅は、側方への長さ、すなわち本実施の形態では左右方向の長さであって、後述する第１信号配線１１１の配列方向である。
【００３９】
複数の第１信号配線１１１の各々は、信号を伝送するための配線であって、前後方向に延びる線状の導体から構成される。複数の第１信号配線１１１は、左右方向に予め定められた間隔を空けて、第１誘電体板１１０の内部に並べて設けられている。
【００４０】
本実施の形態に係る複数の第１信号配線１１１の各々は、前端から予め定められた長さに対応する部分に第１配線露出部１１１＿Ｅを有する。第１配線露出部１１１＿Ｅは、第１誘電体板１１０が少なくとも上方に設けられていないことによって、第１信号配線１１１が少なくとも上方へ向けて外部に露出した部分である。
【００４１】
第１グランド導体１１２は、基準電位に接続される導体であり、例えば金属箔である。第１グランド導体１１２は、第１誘電体板１１０の一方の主面である下面に概ね全体に広がるように設けられた金属層である。
【００４２】
なお、第１誘電体板１１０の他方の主面である上面、すなわち第１信号配線１１１を介して第１グランド導体１１２とは異なる方向には、基準電位に接続される金属箔などの導体が、第３グランド導体として、概ね全体に広がるようにさらに配置されてもよい。また例えば、複数の第１信号配線１１１は第１誘電体板１１０の内部ではなく、第１誘電体板１１０の上面に設けられてもよい。
【００４３】
第２配線板１０５は、信号を伝送するための可撓性を有する板状の部材であって、第２フレキシブル配線板に相当する。第２配線板１０５は、第１配線板１０４と概ね同様の構成を備えており、第１配線板１０４の下方に第１配線板１０４とは上下を逆転させた状態で、第１配線板１０４と概ね平行に配置されている。
【００４４】
すなわち、第２配線板１０５は、第１配線板１０４の第１誘電体板１１０、複数の第１信号配線１１１及び第１グランド導体１１２のそれぞれに相当する第２誘電体板１１６、複数の第２信号配線１１７及び第２グランド導体１１８を有する。
【００４５】
第２誘電体板１１６は、第１誘電体板１１０と同様に、絶縁性と可撓性とを備えた薄い板状の部材であり、本実施の形態では前後方向に長い矩形の薄いフィルムである。詳細には、第２誘電体板１１６は、第１被保持部１１３と、一対の第１係止部１１４＿Ｌ，１１４＿Ｒと、第１延設部１１５とのそれぞれに相当する第２被保持部１１９と、一対の第２係止部１２０＿Ｌ，１２０＿Ｒと、第２延設部１２１とを有する。
【００４６】
第２被保持部１１９は、第２誘電体板１１６の前端から予め定められた長さＬ１までの部分である。第２被保持部１１９は、前端部（先端部）から予め定められた長さまでの部分が第１インシュレータ１０７の内部に保持される（図３，１４参照）。
【００４７】
一対の第２係止部１２０＿Ｌ，１２０＿Ｒのそれぞれは、第２被保持部１１９の左端部と右端部とから内部へ向かう凹みを形成する部位である。一対の第２係止部１２０＿Ｌ，１２０＿Ｒの各々は、前端から長さＬ２離れた位置に設けられており、奥行きが長さＬＬの前後方向に細長い概ね矩形の凹みを形成する（図３，１４参照）。
【００４８】
これにより、一対の第２係止部１２０＿Ｌ，１２０＿Ｒの各々は、一対の第１係止部１１４＿Ｌ，１１４＿Ｒの各々と同様に、前端から長さＬ２の位置と、そこから長さＬＬ離れた位置とで、左右方向に延びる平行な辺部と前後方向に延びる辺部とを形成する。
【００４９】
第２延設部１２１は、第２被保持部１１９の後端に接続した前後方向に長い概ね矩形の部分である。第２延設部１２１は、段差を介して第２被保持部１１９の後端に接続しており、そのため、第２延設部１２１の幅は、第１被保持部１１３よりも広くなっている。
【００５０】
複数の第２信号配線１１７の各々は、複数の第１信号配線１１１の各々と同様に、信号を伝送するための配線であって、前後方向に延びる線状の導体から構成される。複数の第１信号配線１１１は、左右方向に予め定められた間隔を空けて、第２誘電体板１１６の内部に並べて設けられている。
【００５１】
本実施の形態に係る複数の第２信号配線１１７の各々は、前端から予め定められた長さに対応する部分に第２配線露出部１１７＿Ｅを有する。第２配線露出部１１７＿Ｅは、第２誘電体板１１６が少なくとも下方に設けられないことによって、第２信号配線１１７が少なくとも下方へ向けて外部に露出した部分である。
【００５２】
第２グランド導体１１８は、第１グランド導体１１２と同様に、基準電位に接続される導体であり、例えば金属箔である。第２グランド導体１１８は、第２誘電体板１１６の一方の主面である上面に概ね全体に広がるように設けられた金属層である。すなわち、第１グランド導体１１２と第２グランド導体１１８とは、上下方向に向かい合うように配置される。
【００５３】
なお、第２誘電体板１１６の他方の主面である上面、すなわち第２信号配線１１７を介して第２グランド導体１１８とは異なる方向には、基準電位に接続される金属箔などの導体が、第４グランド導体として、概ね全体に広がるようにさらに配置されてもよい。また例えば、複数の第２信号配線１１７は第２誘電体板１１６の内部ではなく、第２誘電体板１１６の上面に設けられてもよい。
【００５４】
グランドプレート１０６は、基準電位に接続される板状の部材であって、第１配線板１０４と第２配線板１０５との間に配置される。グランドプレート１０６の材料は、金属などの導体である。
【００５５】
詳細には、グランドプレート１０６は、主板部１２２と、５対の弾性接点部１２３＿Ｌ，１２３＿Ｒと、一対の突起部１２４と、被保護部１２５とを有する。
【００５６】
主板部１２２は、左右方向に長い概ね矩形の薄い板状の部位であって、その厚さは例えば０．２ｍｍ程度である。本実施の形態に係る主板部１２２は、５つの長孔部１２６と、一対の第３係止部１２７＿Ｌ，１２７＿Ｒとを有する。
【００５７】
長孔部１２６の各々は、上下方向に貫通した孔を形成する部位であって、上方から見て前後方向に長い矩形をなす。本実施の形態では、５つの長孔部１２６は、前後方向の概ね中央に左右対称に並んで設けられている。
【００５８】
なお、長孔部１２６の数は、５つに限られず、１つ以上であればよい。また、複数の長孔部１２６が設けられる場合、複数の長孔部１２６は、適宜の配置で主板部１２２に設けられてよいが、第１配線板１０４及び第２配線板１０５のそれぞれを上方と下方とに全体的に押圧するために、左右対称に配置されることが望ましい。
【００５９】
一対の第３係止部１２７＿Ｌ，１２７＿Ｒは、５つの長孔部１２６の左方と右方とに設けられ、上下方向に貫通した孔を形成する部位である。第３係止部１２７＿Ｌ，１２７＿Ｒの各々は、上方から見て前後方向に長い矩形をなす。
【００６０】
弾性接点部１２３＿Ｌ，１２３＿Ｒの各対は、互いに異なる長孔部１２６のいずれか１つに対応付けて設けられている。本実施の形態に係る弾性接点部１２３＿Ｌ，１２３＿Ｒの各々は、その弾性力によって押圧された状態で第１グランド導体１１２と第２グランド導体１１８との各々と接触する。
【００６１】
詳細には、弾性接点部１２３＿Ｌ，１２３＿Ｒは、一方の端部が主板部１２２に固定された固定端であり他方の端部が自由端である２つの平行に延びる板バネ接点である。弾性接点部１２３＿Ｌ，１２３＿Ｒの各対は、第１接点１２８＿Ｌ，１２８＿Ｒと、第１弾性部１２９＿Ｌ，１２９＿Ｒとを有する。
【００６２】
第１接点１２８＿Ｌ，１２８＿Ｒは、第１グランド導体１１２と第２グランド導体１１８とのそれぞれに接触する部位である。
【００６３】
本実施の形態に係る第１接点１２８＿Ｌは、弾性接点部１２３＿Ｌの自由端から予め定められた長さまでの部分であって上方へ突き出す山状に形成されている。第１接点１２８＿Ｌは、主に最上点近傍で第１グランド導体１１２に接触する。
【００６４】
また、第１接点１２８＿Ｒは、弾性接点部１２３＿Ｒの自由端から予め定められた長さまでの部分であって下方へ突き出す谷状に形成されている。第１接点１２８＿Ｒは、主に最下点近傍で第２グランド導体１１８に接触する。
【００６５】
第１弾性部１２９＿Ｌ，１２９＿Ｒは、それぞれ、弾性を有することによって、第１グランド導体１１２及び第２グランド導体１１８へ向かう力を第１接点１２８＿Ｌ，１２８＿Ｒに加える部位である。本実施の形態に係る第１弾性部１２９＿Ｌ，１２９＿Ｒは、それぞれ、主板部１２２に接続して上前方又は下前方へ傾斜して延びて第１接点１２８＿Ｌ，１２８＿Ｒに接続する。
【００６６】
本実施の形態に係る第１弾性部１２９＿Ｌ，１２９＿Ｒは、それぞれ、基端部１３０＿Ｌ，１３０＿Ｒと板状部１３１＿Ｌ，１３１＿Ｒとを有する。
【００６７】
基端部１３０＿Ｌは、主板部１２２に接続して上前方へ向かって湾曲又は屈曲した部位である。基端部１３０＿Ｒは、主板部１２２に接続して下前方へ向かって湾曲又は屈曲した部位である。
【００６８】
板状部１３１＿Ｌは、基端部１３０＿Ｌから上前方へ傾斜して延びて第１接点１２８＿Ｌに接続する細長い板状の部位である。これにより、第１接点１２８＿Ｌは、基端部１３０＿Ｌよりも、グランドプレート１０６の前端部（先端部）の近くに位置することになる。
【００６９】
板状部１３１＿Ｒは、基端部１３０＿Ｒから下前方へ傾斜して延びて第１接点１２８＿Ｒに接続する細長い板状の部位である。これにより、第１接点１２８＿Ｒは、基端部１３０＿Ｒよりも、グランドプレート１０６の先端部の近くに位置することになる。
【００７０】
一対の突起部１２４は、主板部１２２の左端部と右端部とのそれぞれから左方と右方とに突き出した小さい突起である。本実施の形態に係る一対の突起部１２４は、前後方向には長孔部１２６よりも後方に設けられている。
【００７１】
なお、突起部１２４は、詳細後述するようにグランドプレート１０６が第１インシュレータ１０７に圧入されて押圧された状態に保持される構造であれば、１つであってもよく、設けられなくてもよい。
【００７２】
被保護部１２５は、グランドプレート１０６の先端部から予め定められた長さまでの部分であって、後述する保護部１３４に収容される部分である。被保護部１２５は、左端部近傍と右端部近傍とに保護部１３４から外部に露出するプレート露出部１３２＿Ｌ，１３２＿Ｒを有する。
【００７３】
本実施の形態では、これまで説明をした構成を備えたグランドプレート１０６が一体的に構成される。なお、グランドプレート１０６は、複数の第１接点１２８＿Ｌ，１２８＿Ｒと第１弾性部１２９＿Ｌ，１２９＿Ｒと主板部１２２との一部又は全部が、別部材で構成されて半田付けなどにより導通可能に接続されていてもよい。
【００７４】
第１インシュレータ１０７は、第１配線板１０４と第２配線板１０５とグランドプレート１０６とを保持する部材である。本実施の形態に係る第１インシュレータ１０７は、外観図である図８〜１０と断面図である図１１及び１２とに示すように、本体部１３３と、保護部１３４と、ロック機構取付部１３５とを有する。第１インシュレータ１０７は、例えば、樹脂を材料として一体的に形成される。なお、図８〜１０は、それぞれ、第１インシュレータ１０７の正面図、平面図、背面図である。また、図１１と図１２は、それぞれ、図８のＸＩ−ＸＩ線とＸＩＩ−ＸＩＩ線とにおける第１インシュレータ１０７の断面図である。
【００７５】
本体部１３３と保護部１３４とは、第１配線板１０４、第２配線板１０５及びグランドプレート１０６が収容される収容空間１３６を内部に形成する部位である。本体部１３３と保護部１３４とは、第１配線板１０４、第２配線板１０５及びグランドプレート１０６の全体の前端部（先端部）、左右の両側端部、外方を向く２つの主面部１０４＿Ｕ，１０５＿Ｄという５つの部位それぞれの少なくとも一部を覆うようにして収容空間１３６を形成している。
【００７６】
詳細後述するように、本実施の形態において、第１配線板１０４、第２配線板１０５及びグランドプレート１０６の全体の前端部は、第１配線板１０４、第２配線板１０５及びグランドプレート１０６の各々の前端部である。
【００７７】
第１配線板１０４、第２配線板１０５及びグランドプレート１０６の全体の左右の両側端部は、第１配線板１０４、第２配線板１０５及びグランドプレート１０６の各々の左端部と右端部とである。
【００７８】
第１配線板１０４、第２配線板１０５及びグランドプレート１０６の全体の外方を向く２つの主面部は、第１配線板１０４の上面部１０４＿Ｕと第２配線板１０５の下面部１０５＿Ｄとである。
【００７９】
本体部１３３は、図８〜１０に示すように、概ね直方体の外形をなす部位であって、各々が概ね平板状の上壁部１３３＿Ｕと下壁部１３３＿Ｄと左壁部１３３＿Ｌと右壁部１３３＿Ｒとから構成される。これにより、本体部１３３の内部には、概ね直方体の収容空間１３６の一部が形成される。
【００８０】
本体部１３３が形成する収容空間１３６には、グランドプレート１０６と、その上下のそれぞれに配置された第１配線板１０４及び第２配線板１０５とが収容される。言い換えると、本体部１３３は、グランドプレート１０６、第１配線板１０４及び第２配線板１０５の各々の左右の両側端部の一部と、第１配線板１０４の上面部１０４＿Ｕの一部と、第２配線板１０５の下面部１０５＿Ｄの一部とを覆う。
【００８１】
第１配線板１０４は、その上面部１０４＿Ｕが上壁部１３３＿Ｕの内面（下面）と互いに接触するように配置されている。第２配線板１０５は、その下面部１０５＿Ｄが下壁部１３３＿Ｄの内面（上面）と互いに接触するように配置されている。これにより、第１グランド導体１１２と第２グランド導体１１８との各々は、グランドプレート１０６に上下方向に対向して配置される。
【００８２】
そして、上述の通り、グランドプレート１０６の第１接点１２８＿Ｌ，１２８＿Ｒのそれぞれは、第１グランド導体１１２と第２グランド導体１１８とに接触する。このとき、グランドプレート１０６の第１接点１２８＿Ｌ，１２８＿Ｒのそれぞれは、第１弾性部１２９＿Ｌ，１２９＿Ｒの弾性力によって第１グランド導体１１２と第２グランド導体１１８とに向かう力を受けている。
【００８３】
これにより、グランドプレート１０６が第１グランド導体１１２と第２グランド導体１１８とのそれぞれと電気的に確実に接触して導通する。また、第１配線板１０４と第２配線板１０５とのそれぞれが上壁部１３３＿Ｕと下壁部１３３＿Ｄとに押圧された状態で、本体部１３３の内部に保持される。
【００８４】
詳細には、本体部１３３には、テーパ部１３８と、カバー取付部１３９＿ＵＬ，１３９＿ＵＲ，１３９＿Ｄと、プレートガイド溝部１４０＿Ｌ，１４０＿Ｒと、傾斜部１４１＿Ｌ，１４１＿Ｒ，１４１＿Ｄとが設けられている。
【００８５】
テーパ部１３８は、後端部から前方に向かって収容空間１３６を次第に縮小させる部位である。テーパ部１３８は、それぞれ、上壁部１３３＿Ｕ、下壁部１３３＿Ｄ、左壁部１３３＿Ｌ、右壁部１３３＿Ｒの内面の後端近傍に設けられている。
【００８６】
カバー取付部１３９＿ＵＬ，１３９＿ＵＲ，１３９＿Ｄは、詳細後述するカバー１０８を取り付けるための部位であって、上壁部１３３＿Ｕと下壁部１３３＿Ｄとに設けられる。カバー取付部１３９＿ＵＬ，１３９＿ＵＲ，１３９＿Ｄの各々は、抜け止め嵌合部に相当する。
【００８７】
より詳細には、カバー取付部１３９＿ＵＬ，１３９＿ＵＲの各々は、上下方向に貫通する貫通孔を上壁部１３３＿Ｕに形成しており、上方から見て概ね前後方向に細長い矩形をなす。カバー取付部１３９＿ＵＬは、上壁部１３３＿Ｕの左端近傍に設けられている。カバー取付部１３９＿ＵＲは、上壁部１３３＿Ｕの右端近傍に設けられている。カバー取付部１３９＿Ｄは、上下方向に貫通する貫通孔を下壁部１３３＿Ｄに形成しており、上方から見て概ね、下壁部１３３＿Ｄの左端近傍と右端近傍との間に延在する左右方向に長い矩形をなす。
【００８８】
本実施の形態では、カバー取付部１３９＿ＵＬ，１３９＿ＵＲ，１３９＿Ｄは、前後方向には、上壁部１３３＿Ｕ及び下壁部１３３＿Ｄの中央よりやや前方の概ね同じ位置に、概ね同じ長さで設けられる。また、カバー取付部１３９＿Ｄの左端部と右端部とは、それぞれの左右方向の位置がカバー取付部１３９＿ＵＬの左端部とカバー取付部１３９＿ＵＲの右端部と概ね同じである。
【００８９】
プレートガイド溝部１４０＿Ｌ，１４０＿Ｒは、グランドプレート１０６を保持する部位であって、左壁部１３３＿Ｌと右壁部１３３＿Ｒとのそれぞれの内面で前後方向に延びる細長い溝を形成する。プレートガイド溝部１４０＿Ｌ，１４０＿Ｒのそれぞれは、左右方向に対向するように上下方向の位置を揃えて設けられており、グランドプレート１０６の左端部と右端部とが嵌め込まれる。これによって、グランドプレート１０６は、第１インシュレータ１０７に保持される。
【００９０】
より詳細には、プレートガイド溝部１４０＿Ｌ，１４０＿Ｒの各々の上下方向の間隔は、グランドプレート１０６を配置できる長さであって、グランドプレート１０６の厚さよりも僅かに大きい。プレートガイド溝部１４０＿Ｌ，１４０＿Ｒの各々の後端近傍は、第１インシュレータ１０７へのグランドプレート１０６の取り付けを容易にするため、外方へ向けて拡大している。
【００９１】
また、プレートガイド溝部１４０＿Ｌ，１４０＿Ｒの左端部と右端部とは、一対の突起部１２４が擦れながら移動できる間隔で設けられる。これにより、第１インシュレータ１０７は、一対の突起部１２４を左右から直接的に押圧した状態でグランドプレート１０６を保持する。
【００９２】
傾斜部１４１＿Ｌ，１４１＿Ｒ，１４１＿Ｄは、左壁部１３３＿Ｌ、右壁部１３３＿Ｒ、下壁部１３３＿Ｄの外面のそれぞれの前端近傍にて、幅が小さくなるように或いは厚さが薄くなるように傾斜した部位である。
【００９３】
保護部１３４は、概ね、本体部１３３の前方に突き出して設けられており、レセプタクル１０２に嵌め合わされる部分である。保護部１３４の内部には、本体部１３３が形成する収容空間１３６の一部と互いに連続する収容空間１３６の残部が形成される。
【００９４】
保護部１３４が形成する収容空間１３６には、第１配線板１０４と第２配線板１０５とグランドプレート１０６との各々の先端部近傍が収容される。ここで、先端部近傍とは、先端部を含む部分であって、先端部から予め定められた長さまでの部分である。グランドプレート１０６の先端部近傍は、被保護部１２５である。保護部１３４は本体部１３３よりも幅が狭くなっており、これによって、被保護部１２５の左端部及び右端部が保護部１３４の外部に露出する。
【００９５】
詳細には、保護部１３４は、左右の側壁部１４２＿Ｌ，１４２＿Ｒと、第１仕切部１４３と、第２仕切部１４４と、先端保護部１４５とを有する。
【００９６】
側壁部１４２＿Ｌ，１４２＿Ｒの各々は、本体部１３３の前方に設けられており、保護部１３４の側端部を構成する概ね直方体の部位である。側壁部１４２＿Ｌ，１４２＿Ｒの各々は、上下方向の概ね中央に、プレートガイド溝部１４０＿Ｌ，１４０＿Ｒから連続的に前方へ延びるスリット部１４６が設けられている。スリット部１４６により形成される空間が、後述するプレート保持溝１４７の一部となっている。
【００９７】
また、側壁部１４２＿Ｌ，１４２＿Ｒの各々の前端近傍は、レセプタクル１０２への嵌め合わせを容易にするため、前方へ向かって縮小している。
【００９８】
第１仕切部１４３と第２仕切部１４４とは、それぞれ、前後左右に拡がる概ね矩形の平板状の部位であって、各々の左右の端部が側壁部１４２＿Ｌ，１４２＿Ｒのそれぞれに接続している。第１仕切部１４３と第２仕切部１４４とは、各々の厚さが例えば０．４ｍｍ程度の薄さである。
【００９９】
第１仕切部１４３と第２仕切部１４４とは、グランドプレート１０６の厚さよりも上下方向の長さが僅かに長いすき間を空けて上下に並べて設けられる。このすき間は、上述のスリット部１４６が形成する空間とともに、プレート保持溝１４７を形成する。
【０１００】
プレート保持溝１４７は、グランドプレート１０６の被保護部１２５が配置される収容空間１３６であり、その後端近傍は、第１インシュレータ１０７へのグランドプレート１０６の取り付けを容易にするため、上下方向の長さが後方へ向かって長くなっている。
【０１０１】
ここで、側壁部１４２＿Ｌ，１４２＿Ｒの幅は、プレート露出部１３２＿Ｌ，１３２＿Ｒを露出させる程度に、本体部１３３の幅よりも狭い。
【０１０２】
本実施の形態では、側壁部１４２＿Ｌ，１４２＿Ｒの幅は、側壁部１４２＿Ｌ，１４２＿Ｒの各々の外面（側壁部１４２＿Ｌの左側面と側壁部１４２＿Ｒの右側面）の左右方向の長さである。そして、側壁部１４２＿Ｌ，１４２＿Ｒの幅は、本体部１３３の左壁部１３３＿Ｌと右壁部１３３＿Ｒとの内面間の左右方向の長さと概ね同じである。これにより、グランドプレート１０６は、プレートガイド溝部１４０＿Ｌ，１４０＿Ｒよりも前方に配置された部分が、プレート露出部１３２＿Ｌ，１３２＿Ｒとして保護部１３４の外部に露出する。
【０１０３】
また、第１仕切部１４３は、第１突出部１４３＿Ａと、第１収容部１４３＿Ｂとを有する。第１突出部１４３＿Ａは、本体部１３３の前端部よりも前方に突き出した部位である。第１収容部１４３＿Ｂは、本体部１３３の前端部よりも後方に突き出して本体部１３３の内部に配置される部位である。
【０１０４】
これによって、第１収容部１４３＿Ｂと上壁部１３３＿Ｕとは、第１挿設孔１４８を形成する。第１挿設孔１４８は、第１配線板１０４が前後方向に貫通して配置される収容空間１３６である。第１挿設孔１４８の後端近傍は、第１インシュレータ１０７への第１配線板１０４の取り付けを容易にするため、上下方向の長さが後方へ向かって長くなっている。
【０１０５】
また、第１突出部１４３＿Ａは、その上方に第１配線板１０４の先端部近傍が収容される収容空間１３６を形成する。第１突出部１４３＿Ａには、その上面に第１配線板１０４の下面（すなわち、本実施の形態では第１グランド導体１１２）が接触するように第１配線板１０４の先端部近傍が配置される。
【０１０６】
第２仕切部１４４は、第１仕切部１４３と同様に、第２突出部１４４＿Ａと、第２収容部１４４＿Ｂとを有する。第２突出部１４４＿Ａは、本体部１３３の前端部よりも前方に突き出した部位である。第２収容部１４４＿Ｂは、本体部１３３の前端部よりも後方に突き出して本体部１３３の内部に配置される部位である。
【０１０７】
これによって、第２収容部１４４＿Ｂと下壁部１３３＿Ｄとは、第２挿設孔１４９を形成する。第２挿設孔１４９は、第２配線板１０５が前後方向に貫通して配置される収容空間１３６である。第２挿設孔１４９の後端近傍は、第１インシュレータ１０７への第２配線板１０５の取り付けを容易にするため、上下方向の長さが後方へ向かって長くなっている。
【０１０８】
また、第２突出部１４４＿Ａには、その下方に第２配線板１０５の先端部近傍が収容される収容空間１３６を形成する。そして、第２突出部１４４＿Ａには、その下面に第２配線板１０５の上面（すなわち、本実施の形態では第２グランド導体１１８）が接触するように第２配線板１０５の先端部近傍が配置される。
【０１０９】
先端保護部１４５は、左右方向に細長い概ね矩形の平板状をなす部分であり、その後面が第１突出部１４３＿Ａと第２突出部１４４＿Ａとの前端にて左右方向の概ね全幅にわたって連続的に接続している。これにより、先端保護部１４５は、第１突出部１４３＿Ａと第２突出部１４４＿Ａとの先端近傍を補強する。
【０１１０】
このように補強することで、比較的薄い部位である第１突出部１４３＿Ａと第２突出部１４４＿Ａとが例えば湾曲することや互いに離間することなどによってプラグ１０１が損傷する可能性を低減することができる。
【０１１１】
先端保護部１４５の上端部は、側方から見て、第１突出部１４３＿Ａに配置された第１配線板１０４の前端の少なくとも一部を覆うように上方へ延びている。そして、先端保護部１４５の前面上方は、前方から後方へ向かって次第に上下方向の長さが長くなるように、上前方に突き出して湾曲している。
【０１１２】
先端保護部１４５の下端部は、側方から見て、第２突出部１４４＿Ａに配置された第２配線板１０５の前端の少なくとも一部を覆うように下方へ延びている。そして、先端保護部１４５の前面下方は、前方から後方へ向かって次第に上下方向の長さが長くなるように、下前方に突き出して湾曲している。
【０１１３】
先端保護部１４５は、側壁部１４２＿Ｌ，１４２＿Ｒと本体部１３３の上壁部１３３＿Ｕ及び下壁部１３３＿Ｄとともに、第１開口１５０と第２開口１５１とを形成する。
【０１１４】
第１開口１５０は、第１突出部１４３＿Ａにより形成される収容空間１３６を上方に向かって外部に接続する開口である。本実施の形態に係る第１開口１５０は、先端保護部１４５の上端部と、側壁部１４２＿Ｌ，１４２＿Ｒと、上壁部１３３＿Ｕとにより形成される。
【０１１５】
上述の通り、第１配線板１０４の先端部近傍は、第１グランド導体１１２が接触するように第１突出部１４３＿Ａに配置される。また、上述の第１配線露出部１１１＿Ｅが、第１配線板１０４の先端部近傍に設けられている。そのため、第１配線露出部１１１＿Ｅ、言い換えると、第１信号配線１１１の各々の一部が第１開口１５０を通じて、第１インシュレータ１０７の外部に露出する。
【０１１６】
第２開口１５１は、第２突出部１４４＿Ａにより形成される収容空間１３６を下方に向かって外部に接続する開口である。本実施の形態に係る第２開口１５１は、先端保護部１４５の下端部と、側壁部１４２＿Ｌ，１４２＿Ｒと、下壁部１３３＿Ｄとにより形成される。
【０１１７】
上述の通り、第２配線板１０５の先端部近傍は、第２グランド導体１１８が接触するように第２突出部１４４＿Ａに配置される。また、上述の第２配線露出部１１７＿Ｅが、第２配線板１０５の先端部近傍に設けられている。そのため、第２配線露出部１１７＿Ｅ、言い換えると、第２信号配線１１７の各々の一部が第２開口１５１を通じて、第１インシュレータ１０７の外部に露出する。
【０１１８】
ロック機構取付部１３５は、詳細後述する第１ロック機構部１０９を取り付けるための部位であって、本実施の形態では上壁部１３３＿Ｕの前方中央に設けられる。
【０１１９】
本実施の形態に係るロック機構取付部１３５は、上壁部１３３＿Ｕの上面から上方へ突き出して前後方向に延びた一対の突状部１５３を有する。一対の突状部１５３は、上壁部１３３＿Ｕの前端部近傍に設けられており、左右方向の概ね中央を介して互いに対向するように設けられている。突状部１５３の各々は、他方の突条部１５３と対向する面の下端部に、前後方向に延びる概ね直方体の細長い切欠きが設けられている。これによって、一対の突状部１５３は、上壁部１３３＿Ｕの上面とともにスライド溝部１５４を形成する。
【０１２０】
カバー１０８は、カバー取付部１３９＿ＵＬ，１３９＿ＵＲ，１３９＿Ｄに取り付けられる部材であって、例えば、樹脂を材料として一体的に形成されている。カバー１０８は、抜け止め部材に相当する。カバー１０８は、カバー取付部１３９＿Ｄに嵌め合わされる蓋部１５５と、カバー取付部１３９＿ＵＬ，１３９＿ＵＲに嵌め合わされる抜け止め部１５６＿Ｌ，１５６＿Ｒとを有する。
【０１２１】
蓋部１５５は、左右方向に長い概ね直方体の部位である。蓋部１５５は、例えばカバー取付部１３９＿Ｄに締まり嵌めで嵌め合わされることによって、カバー取付部１３９＿Ｄが形成する貫通孔を塞いで固定される。
【０１２２】
抜け止め部１５６＿Ｌ，１５６＿Ｒは、それぞれ、蓋部１５５の左端部と右端部とから上方へ延びる概ね直方体の部位である。抜け止め部１５６＿Ｌ，１５６＿Ｒは、それぞれ、例えばカバー取付部１３９＿ＵＬ，１３９＿ＵＲに締まり嵌めで嵌め合わされることによって、カバー取付部１３９＿ＵＬ，１３９＿ＵＲが形成する貫通孔を塞いで固定される。
【０１２３】
ここで、第１配線板１０４、第２配線板１０５及びグランドプレート１０６が第１インシュレータ１０７に保持された場合に、カバー取付部１３９＿Ｄ、第１係止部１１４＿Ｌ、第２係止部１２０＿Ｌ、第３係止部１２７＿Ｌ、カバー取付部１３９＿ＵＬが、上下方向に並ぶ。これとともに、カバー取付部１３９＿Ｄ、第１係止部１１４＿Ｒ、第２係止部１２０＿Ｒ、第３係止部１２７＿Ｒ、カバー取付部１３９＿ＵＲが、上下方向に並ぶ。
【０１２４】
そのため、カバー取付部１３９＿Ｄ、第１係止部１１４＿Ｌ、第２係止部１２０＿Ｌ、第３係止部１２７＿Ｌ、カバー取付部１３９＿ＵＬが上下方向に連続する概ね直方体の空間を形成し、この空間を蓋部１５５及び抜け止め部１５６＿Ｌが貫通する。
【０１２５】
同様に、カバー取付部１３９＿Ｄ、第１係止部１１４＿Ｒ、第２係止部１２０＿Ｒ、第３係止部１２７＿Ｒ、カバー取付部１３９＿ＵＲが上下方向に連続する概ね直方体の空間を形成し、この空間を蓋部１５５及び抜け止め部１５６＿Ｒが貫通する。
【０１２６】
これにより、抜け止め部１５６＿Ｌ，１５６＿Ｒは、第１配線板１０４及び第２配線板１０５の前後左右の位置がズレないように第１係止部１１４＿Ｌ，１１４＿Ｒ及び第２係止部１２０＿Ｌ，１２０＿Ｒに係わり合う。グランドプレート１０６は、上述の通り、プレート保持溝１４７によって第１インシュレータ１０７に中に位置ズレしないように保持されるので、第３係止部１２７＿Ｌ，１２７＿Ｒとは僅かなすき間を空けて貫通するように係わり合うとよい。
【０１２７】
このように、抜け止め部１５６＿Ｌ，１５６＿Ｒが第１係止部１１４＿Ｌ，１１４＿Ｒ、第２係止部１２０＿Ｌ，１２０＿Ｒ及び第３係止部１２７＿Ｌ，１２７＿Ｒと係わり合う。これによって、第１配線板１０４、第２配線板１０５及びグランドプレート１０６の前後方向の移動が予め定められた範囲に抑止される。その結果、第１配線板１０４、第２配線板１０５及びグランドプレート１０６が第１インシュレータ１０７から抜け出すことを防止することが可能となる。
【０１２８】
第１ロック機構部１０９は、プラグ１０１がレセプタクル１０２に嵌め合わされた場合に、プラグ１０１をレセプタクル１０２から取り外せないロック状態と、取り外し可能な解除状態とを切り替えるための部位である。本実施の形態に係る第１ロック機構部１０９は、第１インシュレータ１０７とは別の部材として構成され、例えば金属を材料として一体的に形成される。
【０１２９】
詳細には、第１ロック機構部１０９は、平板部１５７と、湾曲部１５８と、ロック部１５９と、操作部１６０とを有する。
【０１３０】
平板部１５７は、概ね矩形の平板をなす部位であって、ロック機構取付部１３５のスライド溝部１５４に嵌め込まれる。平板部１５７は、例えば締まり嵌めによって、ロック機構取付部１３５に押圧された状態で保持される。
【０１３１】
湾曲部１５８は、平板部１５７の前端から上方へ湾曲して後方へ向かうように折り返す部位である。ロック部１５９は、湾曲部１５８に接続して後方へ延びるとともに上方へ突き出す部分を含む部位である。操作部１６０は、ロック部１５９からさらに方向へ延びる部位である。
【０１３２】
このような第１ロック機構部１０９によれば、力を受けていない状態では、ロック部１５９が予め定められたロック位置に位置する。そして、操作者が操作部１６０を下方へ押し下げるなど、第１ロック機構部１０９が主に湾曲部１５８による弾性力に抗してロック部１５９を下方へ移動させる力を受けることによって、ロック部１５９が下方の解除位置に移動する。
【０１３３】
（レセプタクル１０２の構成）
レセプタクル１０２は、プラグ１０１と嵌まり合うコネクタである。レセプタクル１０２は、斜視図である図１、正面図である図１３に示すように、第２インシュレータ１６１と、複数の第１コンタクト１６２と、複数の第２コンタクト１６３と、金属シェル１６４とを備える。
【０１３４】
第２インシュレータ１６１は、プラグ１０１が嵌め込まれる部材である。第２インシュレータ１６１は、例えば、樹脂を材料として一体的に形成される。
【０１３５】
本実施の形態に係る第２インシュレータ１６１は、概ね直方体をなし、内部には前方に開放した概ね直方体の嵌合空間Ｓを有する。この嵌合空間Ｓに、プラグ１０１の保護部１３４とこれに収容された第１配線板１０４、第２配線板１０５及びグランドプレート１０６が嵌め込まれる。
【０１３６】
本実施の形態に係る第２インシュレータ１６１は、左右の側壁部に側壁開口部１６５＿Ｌ，１６５＿Ｒを有する。側壁開口部１６５＿Ｌ，１６５＿Ｒの各々は、第２インシュレータ１６１の外部とその内部の嵌合空間Ｓとを接続し、前方に開放した開口を形成する部位である。すなわち、側壁開口部１６５＿Ｌ，１６５＿Ｒの各々は、プラグ１０１が嵌め合わされた場合に、グランドプレート１０６と金属シェル１６４との間の空間を形成する部位である。
【０１３７】
複数の第１コンタクト１６２は、第２インシュレータ１６１の内面上部に左右方向に並べて保持された概ね線状の導体である。複数の第１コンタクト１６２は、最下点の近傍を接点とし、弾性によって当該接点に下方へ向かう力を加えることができるバネ接点である。プラグ１０１と嵌め合わされた場合に、複数の第１コンタクト１６２は、それぞれの接点で第１配線露出部１１１＿Ｅに接触する。
【０１３８】
複数の第２コンタクト１６３は、第２インシュレータ１６１の内面下部に左右方向に並べて保持された概ね線状の導体である。複数の第２コンタクト１６３は、最上点の近傍を接点とし、弾性によって当該接点に上方へ向かう力を加えることができるバネ接点である。プラグ１０１と嵌め合わされた場合に、複数の第２コンタクト１６３は、それぞれの接点で第２配線露出部１１７＿Ｅに接触する。
【０１３９】
金属シェル１６４は、第２インシュレータ１６１の周囲に配置される金属製の部材である。金属シェル１６４は、シェル上面部１６６と、左右のシェル側面部１６７＿Ｌ，１６７＿Ｒとを有する。
【０１４０】
シェル上面部１６６は、第２インシュレータ１６１の上方に配置される概ね矩形平板状の部位であって、第２ロック機構部１６８を有する。
【０１４１】
第２ロック機構部１６８は、シェル上面部１６６の後方中央にて上方へ突き出す台形状をなす部位である。第２ロック機構部１６８と第２インシュレータ１６１との間には、プラグ１０１が嵌め合わされた場合に、ロック機構取付部１３５及びこれに取り付けられた第１ロック機構部１０９が嵌め込まれる空間が形成されている。
【０１４２】
また、第２ロック機構部１６８は、その上部にロック穴部１６９を有する。ロック穴部１６９は、概ね矩形の上下方向に貫通した穴を第２ロック機構部１６８の上部平板状の部位に形成する。本実施の形態に係るロック穴部１６９は、第２ロック機構部１６８の上部において左右方向には概ね中央であって後端から予め定められた長さ離れた位置に穴を形成する。
【０１４３】
左右のシェル側面部１６７＿Ｌ，１６７＿Ｒは、それぞれ、シェル上面部１６６の左端部と右端部とから屈曲して下方へ延びる概ね矩形平板状の部位であって、第２インシュレータ１６１の左方と右方とに配置される。
【０１４４】
左右のシェル側面部１６７＿Ｌ，１６７＿Ｒの各々は、左右の側面開口部１７０＿Ｌ，１７０＿Ｒと、左右のグランド金具１７１＿Ｌ，１７１＿Ｒと、左右のグランド接続部１７２＿Ｌ，１７２＿Ｒとを有する。
【０１４５】
側面開口部１７０＿Ｌ，１７０＿Ｒは、それぞれ、シェル側面部１６７＿Ｌ，１６７＿Ｒに左右方向に貫通する前後方向に細長い概ね矩形の開口を形成する。
【０１４６】
左右のグランド金具１７１＿Ｌ，１７１＿Ｒの各々は、プラグ１０１が嵌め合わされた場合に、グランドプレート１０６の側端部のうち第１インシュレータ１０７の外部に露出した部分に接触する部位である。左右のグランド金具１７１＿Ｌ，１７１＿Ｒは、左右方向に対向するように対をなして設けられている。プラグ１０１が嵌め合わされた場合に、左右のグランド金具１７１＿Ｌ，１７１＿Ｒは、グランドプレート１０６の側端部のうち第１インシュレータ１０７の外部に露出した部分のそれぞれの側方に位置付けられる。
【０１４７】
本実施の形態に係るグランド金具１７１＿Ｌ，１７１＿Ｒは、それぞれ、側面開口部１７０＿Ｌ，１７０＿Ｒに一端が固定された前後方向に延びる板バネ接点から構成される。
【０１４８】
詳細には、グランド金具１７１＿Ｌ，１７１＿Ｒの各々は、第２接点１７３＿Ｌ，１７３＿Ｒと、第２弾性部１７４＿Ｌ，１７４＿Ｒとを有する。グランド金具１７１＿Ｌ，１７１＿Ｒは、それぞれ、第２接点１７３＿Ｌ，１７３＿Ｒが嵌合空間Ｓに位置付けられるように、側面開口部１７０＿Ｌ，１７０＿Ｒを左右方向に通過して配置される。
【０１４９】
第２接点１７３＿Ｌ，１７３＿Ｒの各々は、グランドプレート１０６の側端部のうち第１インシュレータ１０７の外部に露出した部分に接触する部位である。
【０１５０】
本実施の形態に係る第２接点１７３＿Ｌは、グランド金具１７１＿Ｌの他端である自由端から予め定められた長さのまでの部分であって右方へ突き出すように湾曲している。第２接点１７３＿Ｌは、主に最右点近傍で、第１インシュレータ１０７の外部に露出したグランドプレート１０６の左端部に接触する。
【０１５１】
第２接点１７３＿Ｒは、グランド金具１７１＿Ｒの他端である自由端から予め定められた長さのまでの部分であって左方へ突き出すように湾曲している。第２接点１７３＿Ｒは、主に最左点近傍で、第１インシュレータ１０７の外部に露出したグランドプレート１０６の右端部に接触する。
【０１５２】
第２弾性部１７４＿Ｌ，１７４＿Ｒは、それぞれ、弾性を有することによって、右方及び左方へ向かう力を第２接点１７３＿Ｌ，１７３＿Ｒに加える部位である。本実施の形態に係る第２弾性部１７４＿Ｌ，１７４＿Ｒは、それぞれ、側面開口部１７０＿Ｌ，１７０＿Ｒに接続して方向へ延びて第２接点１７３＿Ｌ，１７３＿Ｒに接続する細長い部位である。
【０１５３】
このようなグランド金具１７１＿Ｌ，１７１＿Ｒが、上述の通り、左右方向に対向するように対をなして設けられる。そのため、プラグ１０１が嵌め合わされた場合に、グランド金具１７１＿Ｌ，１７１＿Ｒは、グランドプレート１０６を側方から挟んでグランドプレート１０６に接触する。
【０１５４】
左右のグランド接続部１７２＿Ｌ，１７２＿Ｒは、それぞれ、左右のシェル側面部１６７＿Ｌ，１６７＿Ｒの下端から下方へ突き出す小突起である。本実施の形態に係る左右のグランド接続部１７２＿Ｌ，１７２＿Ｒは、左右のシェル側面部１６７＿Ｌ，１６７＿Ｒの各々に２つずつ設けられているが、１つ或いは３つ以上であってもよい。グランド接続部１７２＿Ｌ，１７２＿Ｒの各々は、対象物のグランド配線に半田付けなどで固定される。
【０１５５】
これまで、本実施の形態に係るコネクタ組立体１００とこれを構成するプラグ１０１及びレセプタクル１０２との構成について説明した。ここから、プラグ１０１及びレセプタクル１０２の製造方法の例について説明する。
【０１５６】
（プラグ１０１の製造方法）
プラグ１０１を製造するために、第１配線板１０４と、第２配線板１０５と、グランドプレート１０６と、第１インシュレータ１０７と、カバー１０８と、第１ロック機構部１０９との各々が準備される。
【０１５７】
ここで、第１配線板１０４の準備では、例えば、複数の第１信号配線１１１を薄い樹脂製のフィルムで上下から挟み、これらのフィルムを接着、溶着などにより相互に固定される。これの一方の主面に金属箔を張り付けることなどにより第１グランド導体１１２が設けられる。そして、前端近傍のフィルムの一部を取り除くことで、第１配線露出部１１１＿Ｅが形成される。これにより、第１配線板１０４を容易に製造して準備することができる。第２配線板１０５も、第１配線板１０４と同様の方法で製造して準備することができる。
【０１５８】
グランドプレート１０６は、例えば、予め定められた形状に切り出された金属板に、長孔部１２６の各々に一対の細長い概ね矩形の小片を接続した状態の孔と、一対の第３係止部１２７＿Ｌ，１２７＿Ｒとが空けられる。そして、長孔部１２６の各々に接続した各小片が、弾性接点部１２３＿Ｌ，１２３＿Ｒに応じた形状に折り曲げられる。これにより、一端が長孔部１２６に固定された弾性接点部１２３＿Ｌ，１２３＿Ｒを含むグランドプレート１０６を容易に製造して準備することができる。
【０１５９】
第１インシュレータ１０７とカバー１０８との各々は、例えば、樹脂成形により製造されて準備されるとよい。
【０１６０】
第１ロック機構部１０９は、例えば、予め定められた形状に切り出された金属板を適宜の方法で曲げることによって製造されて準備されるとよい。
【０１６１】
グランドプレート１０６が、第１インシュレータ１０７の後方からプレートガイド溝部１４０＿Ｌ，１４０＿Ｒに沿って挿入される。このとき、プレートガイド溝部１４０＿Ｌ，１４０＿Ｒに一対の突起部１２４が接触するので、グランドプレート１０６は、第１インシュレータ１０７から力を受けた状態で挿入される。このように、予め定められた長さが圧入されると、グランドプレート１０６は、押圧された状態で第１インシュレータ１０７に保持される。
【０１６２】
続けて、第１配線板１０４と第２配線板１０５とが、第１インシュレータ１０７の後方からグランドプレート１０６の上下のそれぞれに挿入される。第１配線板１０４と第２配線板１０５は、各先端が先端保護部１４５に接触するまで押し込まれる。このとき、第１配線板１０４と第２配線板１０５とは、それぞれ、弾性接点部１２３＿Ｌ，１２３＿Ｒによって上壁部１３３＿Ｕと下壁部１３３＿Ｄと向けて押圧された状態で保持される。
【０１６３】
カバー１０８が、第１インシュレータ１０７の下方からカバー取付部１３９＿ＵＬ，１３９＿ＵＲ，１３９＿Ｄに圧入されることで嵌め込まれる。これにより、抜け止め部１５６＿Ｌ，１５６＿Ｒが第１インシュレータ１０７の内部を上下方向に貫くことによって、第１配線板１０４、第２配線板１０５及びグランドプレート１０６が第１インシュレータ１０７から抜け出すことが防止される。したがって、第１配線板１０４、第２配線板１０５及びグランドプレート１０６が第１インシュレータ１０７から抜け出にし難いプラグ１０１を容易に製造することが可能になる。
【０１６４】
続けて、第１ロック機構部１０９が、平板部１５７をスライド溝部１５４に前方から圧入される。これによって、第１ロック機構部１０９は、押圧された状態でロック機構取付部１３５に保持され、本実施の形態に係るプラグ１０１が完成する。
【０１６５】
このように、本実施の形態によれば、プラグ１０１を容易に組み立てて製造することが可能になる。
【０１６６】
（レセプタクル１０２の製造方法）
レセプタクル１０２を製造するために、第２インシュレータ１６１と、複数の第１コンタクト１６２と、複数の第２コンタクト１６３と、金属シェル１６４との各々が準備される。
【０１６７】
ここで、第２インシュレータ１６１は、例えば、樹脂成形により製造されて準備されるとよい。第１コンタクト１６２の各々と第２コンタクト１６３の各々とは、概ね線状の細長い金属棒を予め定められた形状に曲げることで製造されて準備されるとよい。
【０１６８】
金属シェル１６４を製造するために、予め定められた形状の金属平板が準備される。この金属平板には、第２ロック機構部１６８を形成するための前端中央から予め定められた長さ後方に離れた位置に、左右方向の切り込みが設けられる。そして、当該切れ込みの前方の予め定められた位置にロック穴部１６９が設けて、切れ込みより前方の部分を上方へ湾曲させることで、第２ロック機構部１６８が形成される。
【０１６９】
さらに、金属平板には、左端部から予め定められた長さ右方向に離れた位置と右端部から予め定められた長さ左方向に離れた位置とに、側面開口部１７０＿Ｌ，１７０＿Ｒに前方に延びる細長い矩形片を接続した状態の孔が設けられる。側面開口部１７０＿Ｌ，１７０＿Ｒのそれぞれに接続した矩形辺が、弾性接点部１２３＿Ｌ，１２３＿Ｒに応じた形状に折り曲げられる。これにより、一端が側面開口部１７０＿Ｌ，１７０＿Ｒのそれぞれに固定された弾性接点部１２３＿Ｌ，１２３＿Ｒが形成される。
【０１７０】
そして、左端部と右端部とのそれぞれから予め定めた長さ、離れた位置で前後方向に延びる線で概ね直角に曲げることで、左右のシェル側面部１６７＿Ｌ，１６７＿Ｒに相当する部分が形成される。これにより、シェル側面部１６７＿Ｌ，１６７＿Ｒの側面開口部１７０＿Ｌ，１７０＿Ｒのそれぞれに固定された弾性接点部１２３＿Ｌ，１２３＿Ｒなどを含む第２インシュレータ１６１を容易に製造して準備することができる。
【０１７１】
複数の第１コンタクト１６２と複数の第２コンタクト１６３とが、第２インシュレータ１６１に設けられた溝などに圧入することで、第２インシュレータ１６１に取り付けられる。第２インシュレータ１６１の側壁開口部１６５＿Ｌ，１６５＿Ｒのそれぞれに弾性接点部１２３＿Ｌ，１２３＿Ｒが収容されるように、金属シェル１６４を第２インシュレータ１６１に前方から嵌め付けられる。このとき、金属シェル１６４は、適宜の部位の嵌り合いなどで、第２インシュレータ１６１から抜け出さないように固定されるとよい。
【０１７２】
これにより、レセプタクル１０２が完成する。このように、本実施の形態によれば、レセプタクル１０２を容易に組み立てて製造することが可能になる。
【０１７３】
（プラグ１０１とレセプタクル１０２との使用方法）
レセプタクル１０２は、例えば、基板などの対象物のグランド配線にグランド接続部１７２＿Ｌ，１７２＿Ｒを半田付けにより固定される。そして、複数の第１コンタクト１６２と複数の第２コンタクト１６３とが、当該対象物に設けられた信号配線に半田付けなどにより固定される。
【０１７４】
また、プラグ１０１の複数の第１信号配線１１１と複数の第２信号配線１１７とは、プラグ１０１が取付られる取付対象物の信号配線に半田付けなどにより接続される。
【０１７５】
プラグ１０１は、レセプタクル１０２の後方から保護部１３４が嵌合空間Ｓに収容されるように嵌め込まれる。このとき、レセプタクル１０２に対してプラグ１０１を前方に押し込むと、第１ロック機構部１０９が第２ロック機構部１６８に接触して、ロック部１５９が初期位置であるロック位置から下方に移動する。
【０１７６】
ロック部１５９がロック穴部１６９に到達するまでレセプタクル１０２に対してプラグ１０１をさらに前方に押し込むと、ロック部１５９は、主に湾曲部１５８の弾性力によりロック穴部１６９に嵌まる（ロック状態）。これにより、プラグ１０１とレセプタクル１０２とは互いに抜け出さないように嵌り合って固定される。このとき、複数の第１信号配線１１１のそれぞれと複数の第１コンタクト１６２とが相互に接続し、複数の第２信号配線１１７のそれぞれと複数の第２コンタクト１６３とが相互に接続する。
【０１７７】
ここで、プレート露出部１３２＿Ｌ，１３２＿Ｒは、プラグ１０１をレセプタクル１０２に嵌め込む途中で、第２接点１７３＿Ｌ，１７３＿Ｒに接触して、それぞれを右方と左方とに押し広げる。
【０１７８】
これにより、第２弾性部１７４＿Ｌ，１７４＿Ｒのそれぞれが、プレート露出部１３２＿Ｌ，１３２＿Ｒに接触するように第２接点１７３＿Ｌ，１７３＿Ｒに力を加える。プラグ１０１をレセプタクル１０２に対してさらに前方へ移動させると、グランドプレート１０６は、プレート露出部１３２＿Ｌ，１３２＿Ｒが第２接点１７３＿Ｌ，１７３＿Ｒによって左右から挟まれる力を受けた状態で接触しながら前方へ移動する。
【０１７９】
その結果、プラグ１０１とレセプタクル１０２とが嵌り合った状態では、断面図である図１４に示すように、グランド金具１７１＿Ｌ，１７１＿Ｒの対は、プレート露出部１３２＿Ｌ，１３２＿Ｒを側方から挟んでそれぞれに接触する。これにより、金属シェル１６４とグランドプレート１０６とを介して、第１グランド導体１１２と第２グランド導体１１８とをグランド配線に接続することができる。
【０１８０】
このように、弾性力によって確実に、かつ、プラグ１０１をレセプタクル１０２に後方から押し込むことで容易に、第１グランド導体１１２と第２グランド導体１１８とをグランド配線に接続することが可能になる。
【０１８１】
次に、プラグ１０１をレセプタクル１０２から取り外す場合、操作部１６０を下方へ押圧した状態で後方へ引き抜くとよい。
【０１８２】
すなわち、主に湾曲部１５８の弾性力に抗して操作部１６０を下方へ押し下げると、ロック部１５９がロック穴部１６９の下方の解除位置へ移動させることができる。これにより、ロック部１５９とロック穴部１６９との嵌り合いによるプラグ１０１とレセプタクル１０２との固定が解除される（解除状態）。
【０１８３】
このようにロック部１５９が押し下げられた解除状態のままでプラグ１０１をレセプタクル１０２から後方へ移動させることによって、プラグ１０１をレセプタクル１０２から取り外すことができる。
【０１８４】
本実施の形態に係るプラグ１０１とレセプタクル１０２とによれば、互いに嵌め合わせた状態で容易にロックすることができる。また、このロックを容易に解除してプラグ１０１とレセプタクル１０２とを取り外すことができる。
【０１８５】
（本実施の形態による作用・効果）
本実施の形態によれば、板状のグランドプレート１０６が、第１配線板１０４と第２配線板１０５との間に配置され、その第１接点によって第１グランド導体１１２及び第２グランド導体１１８のそれぞれと接触する。
【０１８６】
そして、第１インシュレータ１０７は、第１配線板１０４、第２配線板１０５及びグランドプレート１０６の全体の両側端部及び外方を向く２つの主面部１０４＿Ｕ，１０５＿Ｄの少なくとも一部を覆っている。これにより、第１配線板１０４と第２配線板１０５とで共用するグランドプレート１０６を第１インシュレータ１０７の中に保持することができる。
【０１８７】
従って、第１配線板１０４と第２配線板１０５との各々に対応するグランド用の部材を配置するよりもプラグ１０１をコンパクトにすることができるので、コンパクトで多数の配線を接続することが可能になる。
【０１８８】
また本実施の形態によれば、第１インシュレータ１０７の先端保護部１４５が、第１配線板１０４、第２配線板１０５及びグランドプレート１０６の全体の先端部の少なくとも一部を覆っている。これにより、上述の通り、第１突出部１４３＿Ａと第２突出部１４４＿Ａとの先端近傍を補強して、これらの部位１４３＿Ａ，１４４＿Ａの破損に起因してプラグ１０１が損傷する可能性を低減することができる。従って、コンパクトであっても、十分な強度を有するプラグ１０１を提供することが可能になる。
【０１８９】
さらに本実施の形態によれば、第１インシュレータ１０７は、プレートガイド溝部１４０＿Ｌ，１４０＿Ｒでグランドプレート１０６を直接的に押圧した状態で保持している。これにより、第１グランド導体１１２と第２グランド導体１１８とを共通のグランドプレート１０６に接続するプラグ１０１を容易に組み立てて製造することが可能になる。
【０１９０】
さらに本実施の形態によれば、プレート露出部１３２＿Ｌ，１３２＿Ｒが、第１インシュレータ１０７の外部に露出している。これにより、レセプタクル１０２に嵌め合わされたときに、グランドプレート１０６を接地電位とする部材（本実施の形態ではグランド金具１７１＿Ｌ，１７１＿Ｒ）に容易に接続することができる。
【０１９１】
さらに本実施の形態によれば、グランドプレート１０６を押圧した状態で保持する本体部１３３と、保護部１３４とを有する。保護部１３４は、本体部１３３よりも幅が狭いことによって、グランドプレート１０６の両側端部の一部を外部に露出させる。
【０１９２】
これにより、本体部１３３が、第１インシュレータ１０７へのグランドプレート１０６の圧入によって組み立て、グランドプレート１０６を第１インシュレータ１０７に押圧した状態で保持させることができる。また、グランドプレート１０６を第１インシュレータ１０７へ押し込む（圧入する）だけで、プレート露出部１３２＿Ｌ，１３２＿Ｒを保護部１３４から外部に露出させることができる。
【０１９３】
従って、プラグ１０１の構成を簡易かつコンパクトにすることが可能になるとともに、そのようなプラグ１０１を容易に組み立てることが可能になる。
【０１９４】
上述のようにグランドプレート１０６のプレート露出部１３２＿Ｌ，１３２＿Ｒを露出させるために、保護部１３４の幅を狭くすると、一般的に、保護部１３４の幅が本体部１３３の幅以上である場合に比べて保護部１３４の強度が低下し、これに伴って本体部１３３の機械的強度も低下する。
【０１９５】
本実施の形態では、第１配線板１０４、第２配線板１０５及びグランドプレート１０６の全体の前端部（先端部）、左右の両端側部、外方を向く２つの主面部１０４＿Ｕ，１０５＿Ｄという５つの部位それぞれの少なくとも一部を覆うようにして収容空間１３６を形成する。そのため、グランドプレート１０６のプレート露出部１３２＿Ｌ，１３２＿Ｒを露出させるために、保護部１３４の幅を狭くしたとしても本体部１３３の機械的強度を保つことができる。
【０１９６】
さらに本実施の形態によれば、保護部１３４は、プレート保持溝１４７と第１インシュレータ１０７の外部との少なくとも一部を遮断する先端保護部１４５を有する。保護部１３４が先端保護部１４５を含むので、保護部１３４の幅を狭くしたとしても先端保護部１４５によって補強され、保護部１３４の強度の低下を抑えることができる。従って、プラグ１０１の損傷を防ぐことができ、コンパクトであっても十分な強度を有するプラグ１０１を提供することが可能になる。
【０１９７】
以上、本発明の一実施の形態について説明したが、本発明はこれに限定されるものではなく、次のように変形されてもよい。
【０１９８】
（変形例１）
本実施の形態では、図４などに示すように、保護部１３４から露出するプレート露出部１３２＿Ｌ，１３２＿Ｒは、比較的小さい。例えば、プレート露出部１３２＿Ｌ，１３２＿Ｒがより大きくなるように、保護部１３４の幅をより一層狭くされてもよい。
【０１９９】
この場合、プレート露出部１３２＿Ｌ，１３２＿Ｒの端部が上方や下方など適宜の方向へ向かうように折り曲げられるなど、被保護部１２５が変形されてもよい。これにより、グランド金具１７１＿Ｌ，１７１＿Ｒとプレート露出部１３２＿Ｌ，１３２＿Ｒとが接触する部分の大きさをより大きくすることができる。
【０２００】
（変形例２）
実施の形態では、グランドプレート１０６の被保護部１２５が、その後方と概ね同じ幅の概ね矩形の平板状である例を説明した。しかし、被保護部は、弾性を有する弾性片が左右の少なくとも一方に突き出し、この弾性片の一部又は全部がプレート露出部であってもよい。
【０２０１】
詳細には例えば、グランドプレート２０６は、斜視図である図１５に示すように、実施の形態に係る被保護部１２５に代わる被保護部２２５を有し、これを除いて、実施の形態に係るグランドプレート１０６と同様に構成される。
【０２０２】
本変形例に係る被保護部２２５は、左右の側端部の各々に、左方と右方とのそれぞれに突き出すプレート露出部２３２＿Ｌ，２３２＿Ｒを有する。プレート露出部２３２＿Ｌ，２３２＿Ｒは、グランドプレート２０６と一体的に構成され、弾性を有する弾性片である。
【０２０３】
このようなプレート露出部２３２＿Ｌ，２３２＿Ｒは、第１インシュレータ１０７に取り付ける際は内方へ湾曲し、保護部１３４に位置付けられると、その弾性により図１５に示すように外方へ突き出して、保護部１３４から外部に露出する。そのため、グランドプレート２０６も、実施の形態に係るグランドプレート１０６と同様に、圧入によって第１インシュレータ１０７に取り付けることができる。
【０２０４】
本変形例によっても、実施の形態と同様の効果を奏する。
【０２０５】
（変形例３）
実施の形態では先端保護部１４５が、第１突出部１４３＿Ａと第２突出部１４４＿Ａとの前端に左右方向の概ね全幅にわたって連続的に接続する例を説明した。しかし、先端保護部には、プレート保持溝１４７と第１インシュレータの外部とを前後方向に接続する空間を形成する貫通孔が設けられてもよい。
【０２０６】
本変形例に係るプラグ３０１は、斜視図である図１６、正面図である図１７及び断面図である図１８に示すように、第１インシュレータ１０７に代わる第１インシュレータ３０７を有する。この他は、実施の形態に係るプラグ１０１と同様に構成されるとよい。
【０２０７】
第１インシュレータ３０７は、実施の形態に係る保護部１３４に代わる保護部３３４を有し、この他は、実施の形態に係る第１インシュレータ１０７と同様に構成されるとよい。保護部３３４は、先端保護部１４５に代わる先端保護部３４５を有し、この他は、実施の形態に係る保護部３３４と同様に構成されるとよい。
【０２０８】
本変形例に係る先端保護部３４５は、左右方向に細長い概ね矩形の平板状をなす部分であり、３つの貫通孔部３７５を有する。３つの貫通孔部３７５の各々は、プレート保持溝１４７と第１インシュレータ３０７の外部とを前後方向に接続する貫通孔を形成する。なお、貫通孔部３７５の数は、これに限られず、１つ、２つ又は４つ以上であってもよい。
【０２０９】
本変形例によれば、先端保護部３４５は、その後面が第１突出部１４３＿Ａと第２突出部１４４＿Ａとの前端にて左右方向の概ね全幅にわたって断続的に接続している。これによっても、実施の形態に係る先端保護部１４５と同様に、先端保護部３４５は、第１突出部１４３＿Ａと第２突出部１４４＿Ａとの先端近傍を補強することができる。
【０２１０】
そのため、実施の形態で説明したように、主に第１突出部１４３＿Ａと第２突出部１４４＿Ａとの破損に起因してプラグ１０１が損傷する可能性を低減することができる。従って、実施の形態と同様に、コンパクトであっても十分な強度を有するプラグ１０１を提供することが可能になる。
【０２１１】
また、このような貫通孔部３７５を有することによって、第１インシュレータ３０７の成形は容易になり、その形状を安定させることが可能になる。
【０２１２】
（変形例４）
実施の形態では、保護部１３４が、本体部１３３よりも狭い幅で本体部１３３から前方へ概ね真っ直ぐに突き出す例を説明した。しかし、グランドプレートの少なくとも一方の側端部の一部が、第１インシュレータの外部に露出していればよい。
【０２１３】
詳細には例えば、本変形例に係るプラグ４０１は、平面図である図１９に示すように、実施の形態に係る第１インシュレータ１０７に代わる第１インシュレータ４０７を有し、この他は、実施の形態に係るプラグ１０１と同様に構成されるとよい。
【０２１４】
本変形例に係る第１インシュレータ４０７は、実施の形態に係る保護部１３４に代わる保護部４３４を有し、この他は、実施の形態に係る第１インシュレータ１０７と同様に構成される。そして、保護部４３４は、実施の形態に係る左右の側壁部１４２＿Ｌ，１４２＿Ｒに代わる左右の側壁部４４２＿Ｌ，４４２＿Ｒを有し、この他は、実施の形態に係る保護部１３４と同様に構成される。
【０２１５】
本変形例に係る左右の側壁部４４２＿Ｌ，４４２＿Ｒは、先端から予め定められた距離長さ離れた部分から後方へ向かって、内方へ突き出す内方湾曲部４７６＿Ｌ，４７６＿Ｒを有する。すなわち、保護部４３４の左端部に設けられる内方湾曲部４７６＿Ｌは、右方に突き出すように湾曲している。保護部４３４の右端部に設けられる内方湾曲部４７６＿Ｒは、左方に突き出すように湾曲している。この点を除いて、側壁部４４２＿Ｌ，４４２＿Ｒは、実施の形態に係る側壁部１４２＿Ｌ，１４２＿Ｒと同様に構成される。
【０２１６】
本変形例ではグランドプレート１０６の被保護部１２５の左端部及び右端部の先端部近傍が露出していない点で実施の形態とは異なるが、本変形例によっても、被保護部１２５の両側端部の一部が保護部４３４から外部へ露出させることができる。そのため、本変形例によっても、実施の形態と同様の効果を奏する。
【０２１７】
（変形例５）
また例えば、図示しないが、グランドプレート１０６の一方の側端部の一部のみが第１インシュレータ１０７の外部に露出していてもよい。
【０２１８】
（変形例６）
実施の形態では、第１インシュレータ１０７が一体的に形成される例を説明した。しかし、第１インシュレータ１０７は、複数の部材を組み合わせて構成されてもよい。
【０２１９】
詳細には例えば、第１インシュレータ１０７は、上下２つに分割された部材を嵌め合い、突出した爪などの係わり合い、ボルトとナット、ネジなどで固定することによって構成されもよい。
【０２２０】
この場合、プレートガイド溝部１４０＿Ｌ，１４０＿Ｒは設けられなくてもよい。そして、グランドプレート１０６は、第１インシュレータ１０７を構成する上下の部材から、第１配線板１０４及び第２配線板１０５を介して間接的に上下方向の力を加えられた状態で第１インシュレータ１０７に保持されるとよい。
【０２２１】
これによっても、第１グランド導体１１２と第２グランド導体１１８とを共通のグランドプレート１０６に接続するプラグ１０１を容易に組み立てて製造することが可能になる。
【０２２２】
（変形例７）
実施の形態では、グランド金具１７１＿Ｌ，１７１＿Ｒが金属シェル１６４に一体に設けられ、第２インシュレータ１６１に取り付けられる例を説明した。しかし、グランド金具１７１＿Ｌ，１７１＿Ｒは、第２インシュレータ１６１に関連付けて設けられれば、第２インシュレータ１６１に取り付けられなくてもよい。
【０２２３】
詳細には例えば、左右のシェル側面部１６７＿Ｌ，１６７＿Ｒの各々に相当する個別の部材が、複数の第１コンタクト１６２及び複数の第２コンタクト１６３が取り付けられた第２インシュレータ１６１と共通の基板１０３に取り付けられてもよい。
【０２２４】
この場合、シェル側面部１６７＿Ｌ，１６７＿Ｒに相当する各部材は、第２インシュレータ１６１に対して、実施の形態に係るシェル側面部１６７＿Ｌ，１６７＿Ｒと同様の位置関係で基板１０３に取り付けられるとよい。これによっても、実施の形態と同様の効果を奏する。
【０２２５】
（変形例８）
実施の形態では、グランド金具１７１＿Ｌ，１７１＿Ｒが、被保護部１２５を左右から挟む板バネ接点から構成される例を説明したが、これに限られなくてもよい。
【０２２６】
例えば、グランド金具１７１＿Ｌ，１７１＿Ｒのそれぞれは、端面が右方と左方とへ向かって突き出すように左右の側壁部１４２＿Ｌ，１４２＿Ｒから折り曲げられた平板状の部分であってもよい。
【０２２７】
この場合、グランド金具１７１＿Ｌ，１７１＿Ｒは、プレート露出部１３２＿Ｌ，１３２＿Ｒと接することができる長さで突き出すとよい。プラグ１０１とレセプタクル１０２とを嵌め合わせる際に、グランド金具１７１＿Ｌ，１７１＿Ｒのそれぞれとプレート露出部１３２＿Ｌ，１３２＿Ｒとは、端面同士が互いに擦れながら移動することになる。これによっても、実施の形態と同様の効果を奏する。
【０２２８】
（変形例９）
実施の形態では、対をなす弾性接点部１２３＿Ｌ，１２３＿Ｒのそれぞれに設けられた第１接点１２８＿Ｌ，１２８＿Ｒを通じて、グランドプレート１０６が第１グランド導体１１２と第２グランド導体１１８とに接触する例を説明した。
【０２２９】
しかし、グランドプレートは、第１グランド導体１１２と第２グランド導体１１８とのそれぞれに接触する第１接点を含むように構成されればよい。
【０２３０】
例えば側方断面図である図２０に示すように、本変形例に係るグランドプレート５０６は、実施の形態と同様に、主板部１２２の長孔部１２６に対応付けられた弾性接点部５２３を有する。本変形例に係る弾性接点部５２３は、上下それぞれに突き出す２つの第１接点５２８＿Ｕ，５２８＿Ｄを有する板バネ接点である。
【０２３１】
詳細には、弾性接点部５２３は、第１接点５２８＿Ｕ，５２８＿Ｄと、第１弾性部５２９とを有する。第１接点５２８＿Ｕ，５２８＿Ｄは、第１グランド導体１１２と第２グランド導体１１８とのそれぞれに接触する。第１弾性部５２９は、弾性を有することによって、第１接点５２８＿Ｕ，５２８＿Ｄのそれぞれに第１グランド導体１１２及び第２グランド導体１１８へ向かう力を加える。
【０２３２】
第１弾性部５２９は、主板部１２２に接続する基端部５３０と板状部５３１＿Ｆ，５３１＿Ｒとを有する。板状部５３１＿Ｆは、基端部５３０から第１接点５２８＿Ｕまで前方に延びて接続する細長い板状の部位である。板状部５３１＿Ｒは、第１接点５２８＿Ｕから第２接点５２８＿Ｄまで前方に延びて接続する細長い板状の部位である。本変形例によっても、第１接点５２８＿Ｕ，５２８＿Ｄは、実施の形態と同様に、基端部５３０よりも、グランドプレート５０６の前端部（先端部）の近くに位置することになる。
【０２３３】
このような弾性接点部５２３によれば、実施の形態と同様に、その弾性力によって押圧された状態で、第１接点５２８＿Ｕと第１接点５２８＿Ｄとのそれぞれで第１グランド導体１１２と第２グランド導体１１８と接触することができる。本変形例に係る弾性接点部５２３は、グランドプレート５０６に１つ以上設けられることで、第１グランド導体１１２と第２グランド導体１１８とのいずれもを接地電位とすることができる。
【０２３４】
以上、本発明の実施の形態及び変形例について説明したが、本発明は、これらに限られるものではない。本発明は、これまで説明した実施の形態及び変形例の一部又は全部を適宜組み合わせた形態、その形態に適宜変更を加えた形態をも含む。
【符号の説明】
【０２３５】
１００  コネクタ組立体
１０１，３０１，４０１  プラグ
１０２  レセプタクル
１０３  基板
１０４  第１配線板
１０４＿Ｕ  上面部
１０５  第２配線板
１０５＿Ｄ  下面部
１０６，２０６  グランドプレート
１０７，３０７，４０７  第１インシュレータ
１０８  カバー
１０９  第１ロック機構部
１１０  第１誘電体板
１１１  第１信号配線
１１１＿Ｅ  第１配線露出部
１１２  第１グランド導体
１１３  第１被保持部
１１４＿Ｌ，１１４＿Ｒ  第１係止部
１１５  第１延設部
１１６  第２誘電体板
１１７  第２信号配線
１１７＿Ｅ  第２配線露出部
１１８  第２グランド導体
１１９  第２被保持部
１２０＿Ｌ，１２０＿Ｒ  第２係止部
１２１  第２延設部
１２２  主板部
１２３＿Ｌ，１２３＿Ｒ，５２３  弾性接点部
１２４  突起部
１２５，２２５  被保護部
１２６  長孔部
１２７＿Ｌ，１２７＿Ｒ  第３係止部
１２８＿Ｌ，１２８＿Ｒ，５２８＿Ｕ，５２８＿Ｄ  第１接点
１２９＿Ｌ，１２９＿Ｒ  第１弾性部
１３０＿Ｌ，１３０＿Ｒ，５３０  基端部
１３１＿Ｌ，１３１＿Ｒ  板状部
１３２＿＿Ｌ，１３２＿Ｒ，２３２＿Ｌ，２３２＿Ｒ  プレート露出部
１３３  本体部
１３３＿Ｕ  上壁部
１３３＿Ｄ  下壁部
１３３＿Ｌ  左壁部
１３３＿Ｒ  右壁部
１３４，３３４，４３４  保護部
１３５  ロック機構取付部
１３６  収容空間
１３８  テーパ部
１３９＿ＵＬ，１３９＿ＵＲ，１３９＿Ｄカバー取付部
１４０＿Ｌ，１４０＿Ｒ  プレートガイド溝部
１４１＿Ｌ，１４１＿Ｒ，１４１＿Ｄ  傾斜部
１４２＿Ｌ，１４２＿Ｒ，４４２＿Ｌ，４４２＿Ｒ  側壁部
１４３  第１仕切部
１４３＿Ａ  第１突出部
１４３＿Ｂ  第１収容部
１４４  第２仕切部
１４４＿Ａ  第２突出部
１４４＿Ｂ  第２収容部
１４５，３４５  先端保護部
１４６  スリット部
１４７  プレート保持溝
１４８  第１挿設孔
１４９  第２挿設孔
１５０  第１開口
１５１  第２開口
１５３  突状部
１５４  スライド溝部
１５５  蓋部
１５６＿Ｌ，１５６＿Ｒ  抜け止め部
１５７  平板部
１５８  湾曲部
１５９  ロック部
１６０  操作部
１６１  第２インシュレータ
Ｓ  嵌合空間
１６２  第１コンタクト
１６３  第２コンタクト
１６４  金属シェル
１６５＿Ｌ，１６５＿Ｒ  側壁開口部
１６６  シェル上面部
１６７＿Ｌ，１６７＿Ｒ  シェル側面部
１６８  第２ロック機構部
１６９  ロック穴部
１７０＿Ｌ，１７０＿Ｒ  側面開口部
１７１＿Ｌ，１７１＿Ｒ  グランド金具
１７２＿Ｌ，１７２＿Ｒ  グランド接続部
１７３＿Ｌ，１７３＿Ｒ  第２接点
１７４＿Ｌ，１７４＿Ｒ  第２弾性部
３７５  貫通孔部
４７６  内方湾曲部
【図１】
2020072035.tif 000003
【図２】
2020072035.tif 000004
【図３】
2020072035.tif 000005
【図４】
2020072035.tif 000006
【図５】
2020072035.tif 000007
【図６】
2020072035.tif 000008
【図７】
2020072035.tif 000009
【図８】
2020072035.tif 000010
【図９】
2020072035.tif 000011
【図１０】
2020072035.tif 000012
【図１１】
2020072035.tif 000013
【図１２】
2020072035.tif 000014
【図１３】
2020072035.tif 000015
【図１４】
2020072035.tif 000016
【図１５】
2020072035.tif 000017
【図１６】
2020072035.tif 000018
【図１７】
2020072035.tif 000019
【図１８】
2020072035.tif 000020
【図１９】
2020072035.tif 000021
【図２０】
2020072035.tif 000022
【図２１】
2020072035.tif 000023
【図２２】
2020072035.tif 000024